(57)【要約】      （修正有）【課題】都心等における利用にも耐えられるように、振動と騒音と粉塵の発生をより低減した地中杭破砕方法を提供する。【解決手段】杭頭が露出された状態の地中杭に、地中杭の長さ方向に沿って杭頭から破砕薬装填孔を穿孔する工程と、杭頭から、破砕薬装填孔に、破砕薬とセメントタンパーとを交互に、破砕薬が杭頭側の破砕薬の破砕に起因する亀裂がその直近の底部側の破砕薬装填孔に到達しない程度の一定の間隔、となるように、地中杭の長さ方向に沿って複数段に挿入する工程と、複数段に挿入された破砕薬を、杭頭から地中杭の底部に向けて順次に、着火して破砕する工程と、を有する。【選択図】図１
2020063660.tif 000002
【特許請求の範囲】
【請求項１】
杭頭が露出された状態の地中杭に、前記地中杭の長さ方向に沿って前記杭頭から破砕薬装填孔を穿孔する工程と、 
前記破砕薬装填孔に、破砕薬と充填物とを交互に、 
前記破砕薬が、杭頭側の破砕薬の破砕に起因する亀裂がその直近の底部側の破砕薬装填孔に到達しない程度の一定の間隔、となるように、
前記地中杭の長さ方向に沿って複数段に挿入する工程と、 
複数段に挿入された前記破砕薬を、前記杭頭から前記地中杭の底部に向けて、順次に、着火して破砕する工程と、を有する 
ことを特徴とする地中杭破砕方法。 
【請求項２】
請求項１に記載の地中杭破砕方法において、 
前記複数段に挿入された破砕薬の間隔は、前記杭頭側の破砕薬による破砕に起因して、その底部側の破砕薬による破砕の効果が阻害されない程度に設けられる
ことを特徴とする地中杭破砕方法。 
【請求項３】
請求項１または請求項２に記載の地中杭破砕方法において、 
前記破砕薬を複数段に挿入する工程と前記着火して破砕する工程との間に、 
前記杭頭に、ゴムシートと鉄板とガラ袋とを載置する工程をさらに有する 
ことを特徴とする地中杭破砕方法。 
【請求項４】
請求項１乃至請求項３のいずれか一項に記載の地中杭破砕方法において、 
前記杭頭から破砕薬装填孔を穿孔する工程は、 
穿孔時に前記杭頭から前記地中杭の長さ方向に作業空間へと延伸されるアーム部が防音養生されたロックドリルで遂行される 
ことを特徴とする地中杭破砕方法。 
【請求項５】
請求項１乃至請求項４のいずれか一項に記載の地中杭破砕方法において、 
前記破砕薬は、薬剤の熱分解時に発生する水蒸気圧を利用して前記地中杭を破砕する蒸気圧破砕薬である 
ことを特徴とする地中杭破砕方法。 
【請求項６】
請求項１乃至請求項５のいずれか一項に記載の地中杭破砕方法において、 
前記複数段に挿入された破砕薬を着火して破砕する工程は、前記杭頭から前記地中杭の底部に向けて各破砕薬が順次に０．０２５秒〜０．５秒の時間範囲で着火される
ことを特徴とする地中杭破砕方法。 
【請求項７】
請求項１乃至請求項６のいずれか一項に記載の地中杭破砕方法において、 
前記破砕薬は、酸化剤としての酸化銅と還元剤としてのアルミニウムとの金属粉のテルミット反応による発熱を利用し、結晶水としてカリウムミョウバンを蒸発させた水蒸気圧力を発生させるものであり、一段分の薬剤重量が０．５ｋｇ〜１ｋｇである
ことを特徴とする地中杭破砕方法。 
【請求項８】
請求項７に記載の地中杭破砕方法において、 
前記複数段に挿入された破砕薬の間隔は、４５０ｍｍ〜５００ｍｍである 
ことを特徴とする地中杭破砕方法。 
【請求項９】
請求項１乃至請求項８のいずれか一項に記載の地中杭破砕方法において、 
前記充填物はセメントタンパーを含む 
ことを特徴とする地中杭破砕方法。 
【請求項１０】
請求項９に記載の地中杭破砕方法において、 
前記充填物は砕石をさらに含む 
ことを特徴とする地中杭破砕方法。 
【請求項１１】
請求項１乃至請求項１０のいずれか一項に記載の地中杭破砕方法において、 
隣接する前記破砕薬の発破に起因する振動の少なくとも一部または全部が逆位相で互いに打ち消し合う関係にある 
ことを特徴とする地中杭破砕方法。 
【発明の詳細な説明】
【技術分野】
【０００１】
本発明は、周囲環境への影響を低減した地中杭破砕方法に関する。 
【背景技術】
【０００２】
下記特許文献１には、従来の場所打鉄筋コンクリートの解体・撤去方法では、事前の掘削作業が必要であり、通常の杭間隔（約５ｍ乃至８ｍ程度）では、掘削後の杭間での解体機械の作業空間が狭小であること、さらに、掘削に伴う山留用切梁が作業空間を更に制限すること、等の事情が重って、非常に能率の悪い作業であることに着目した発明が開示されている。さらに、従来の解体方法では、長期間に亘り騒音を発生し、周辺住民への環境問題も発生する場合があった。
【０００３】
上記従来の問題点に鑑み、特許文献１では、地上からの作業のみで深い地中障害物を解体し、解体後の破砕片の搬出が容易に行なわれる施工性に優れた深い地中障害物の解体方法を提供する技術思想として、具体的には下記の手段が提案されている。
【０００４】
すなわち、当該文献による深い地中障害物の解体方法として、地中の深い個所に構築されて障害物に地上より鉛直の爆薬装填孔を穿孔し、次いで同孔に地上より多段に爆薬、雷管、タンピング材を挿入し、点火、爆発したのち爆発により瞬時に破砕した障害物の破砕片を周囲の土と同時に掘削、撤去する手法が開示されている。
【０００５】
そして、当該文献で提案された方法によれば、地中障害物の頭部を確認したのち、同地中障害物の中央に鉛直の爆薬装填孔を穿孔し、同穿孔中に爆薬、雷管、タンピング材を装填し、点火、爆発することによって障害物は爆発のエネルギーで瞬時に小塊状に破砕されることから、破砕された地中障害物の破砕片は掘削工事を行うことによって、容易に搬出されるものとなる。
【０００６】
上述のように、地中深くの硬い地盤（支持地盤）に設置された複数の杭を介した地上構造物が、従来、都心等における高層ビル等を建築する場合の主流であった。しかし、現在では、従来のような地中杭を用いることなく、地中深くの硬い支持地盤から地上構造物の地下バージョン（すなわち地下室）を直接接合して構築していく手法が採用されるようになっている。これにより、大深度の地下空間も有効利用が図られるようになる。
【０００７】
地下深くの硬い支持地盤から地上構造物を地下バージョンを構築するためには、まずは、取り壊すべき旧ビルディングの地下杭を除去して一掃し、地中の硬い地盤を露出させる必要がある。旧ビルディングの地下杭は、一般に鉄筋コンクリート等で形成されており、大型重機等が進入・作業できない程度の比較的狭い間隔で、複数本深く垂直に埋められているので、その除去には多大な労力を要する。
【先行技術文献】
【特許文献】
【０００８】
【特許文献１】特開平０５−２４７９３９号公報
【特許文献２】特開平１１−９３５５９号公報
【特許文献３】特開２０１５−１０７２６号公報
【特許文献４】特開２０１２−８６９２６号公報
【発明の概要】
【発明が解決しようとする課題】
【０００９】
特許文献１に記載された「地中の深い個所に構築された障害物に、地上から鉛直の爆薬装填孔を穿孔し、同孔に地上より爆薬、雷管、タンピングを装填して点火、爆発」させる方法では、大きな騒音と大きな振動とが発生することとなり、都心における現実の使用には耐えられない。
【００１０】
例えば、大きな騒音は近隣ビルに入居するオフィスや住人・通行人等からの苦情原因となるし、大きな振動は近隣ビルのエレベータを停止させる程度（例えば震度２等）にも達する。大きな騒音と大きな振動とは、クローラードリル等の穿孔機による杭への穿孔作業時のみではなく、火薬の爆発時にもより深刻な度合いで生じるものとなる。
【００１１】
さらに、鉄筋コンクリート等で構成された地中杭の破砕作業により、多大な粉塵が地上に放散されることが懸念される。一方で、都心等の工事現場等における周囲環境への配慮と規制は、ますます厳しく制約されるものとなってきている。特に、都心においては環境維持の観点から、爆発破砕を含む工事作業により生じる騒音・振動等に厳しい制約が設けられている。
【００１２】
本発明は、上述の問題点に鑑み為されたものであり、都心等における利用にも耐えられるように、振動と騒音と粉塵の発生をより低減した地中杭破砕方法を提案すること等を目的とする。
【課題を解決するための手段】
【００１３】
本発明の地中杭破砕方法は、杭頭が露出された状態の地中杭に、地中杭の長さ方向に沿って杭頭から破砕薬装填孔を穿孔する工程と、杭頭から、破砕薬装填孔に、破砕薬とセメントタンパーとを交互に、破砕薬が一定の間隔となるように、地中杭の長さ方向に沿って多段に挿入する工程と、多段に挿入された破砕薬を、杭頭から地中杭の底部に向けて順次に、０．０２５秒〜０．５秒の範囲の一定時間毎に、着火して破砕する工程と、を有することを特徴とする。
【００１４】
本発明の地中杭破砕方法は、好ましくは多段に挿入された破砕薬の間隔が、上段の破砕薬による破砕に起因して、下段の破砕薬による破砕の効果が阻害されない程度に設けられることを特徴とする。
【００１５】
本発明の地中杭破砕方法は、さらに好ましくは破砕薬を多段に挿入する工程と着火して破砕する工程との間に、杭頭に、ゴムシートと鉄板とガラ袋とを載置する工程をさらに有することを特徴とする。
【００１６】
本発明の地中杭破砕方法は、さらに好ましくは杭頭から破砕薬装填孔を穿孔する工程が、穿孔時に杭頭から地中杭の長さ方向に作業空間へと延伸されるアーム部が防音養生されたロックドリルで遂行されることを特徴とする。
【００１７】
本発明の地中杭破砕方法は、さらに好ましくは破砕薬が、薬剤の熱分解時に発生する水蒸気圧を利用して地中杭を破砕する蒸気圧破砕薬であることを特徴とする。
【００１８】
本発明の地中杭破砕方法は、さらに好ましくは多段に挿入された破砕薬を着火して破砕する工程が、杭頭から地中杭の底部に向けて各破砕薬が順次に０．２５秒毎で着火されることを特徴とする。
【００１９】
本発明の地中杭破砕方法は、さらに好ましくは破砕薬が、酸化剤としての酸化銅と還元剤としてのアルミニウムとの金属粉のテルミット反応による発熱を利用し、結晶水としてカリウムミョウバンを蒸発させた水蒸気圧力を発生させるものであり、一段分の薬剤重量が０．５ｋｇ〜１ｋｇであることを特徴とする。
【００２０】
本発明の地中杭破砕方法は、さらに好ましくは多段に挿入された破砕薬の間隔が、４５０ｍｍ〜５００ｍｍであることを特徴とする。
【発明の効果】
【００２１】
都心等における利用にも耐えられるような、振動と騒音と粉塵の発生をより低減した地中杭破砕方法を提案できる。 
【図面の簡単な説明】
【００２２】
【図１】本発明の地中杭破砕方法の一態様について（ａ）〜（ｇ）の順に説明する図である。
【図２】杭頭１６００ｍｍφで長さ９１５０ｍｍの地中杭に対する１０段の破砕薬による破砕設計を説明する概要図である。
【図３】杭頭の直径１５００ｍｍφで長さ１４０３０ｍｍの地中杭に対する１３段の破砕薬による破砕設計を説明する概要図である。
【図４】杭頭の直径１５００ｍｍφで長さ１４０００ｍｍの地中杭に対する７段の破砕薬による破砕設計の比較検討を説明する概要図であり、紙面左側が「段発考慮なし」すなわち７段同時発破についての設計図であり、紙面右側が「段発考慮あり」すなわち上段から下段に向けて一段ずつ０．２５秒ずつ遅延させて順次に発破する設計図である。
【図５】（ａ）セメントタンパーの外観並びに（ｂ）ガンサイザーの外観及び（ｃ）着火具（イグナイタ）の外観説明及び（ｄ）それらの取り付け設置について説明する図である。
【図６】防音及び飛散防止の養生を垂直アーム部に装着したロックドリルの典型例を説明する図であり、（ａ）が外側周囲が全て養生されている状態を説明する図であり、（ｂ）がオペレータ側に養生が欠落された視認窓を設けている状態を説明する図である。
【図７】ロックドリルのアーム部の養生の他の例を説明する図である。
【図８】（ａ）が試験破砕１回目（１０ｍ）５５−１００型（２５ミリ秒×８セット（すなわち８段））の経過時間に対する変位速度を説明する図であり、（ｂ）が試験破砕２回目（１０ｍ）５５−２００型（２５ミリ秒×５セット（すなわち５段））の経過時間に対する変位速度を説明する図であり、（ｃ）が試験破砕３回目（１０ｍ）５５−１００型（２５０ミリ秒×８セット（すなわち８段））の経過時間に対する変位速度を説明する図である。
【図９】図８に説明した（ａ）〜（ｃ）の各試験破砕に対応する試験番号（１）〜（３）のガンサイザーパターンと、その準備作業について説明する図である。
【図１０】ガンサイザーＩＣ段発イグナイタの取り付けと脚線延長の方法について説明する図である。
【発明を実施するための形態】
【００２３】
実施形態の地中杭破砕方法は、杭頭が露出された状態の地中杭（例えば直径１１００ｍｍφ〜１８００ｍｍφ）に、地中杭の長さ方向に沿って杭頭から破砕薬装填孔を穿孔する工程と、杭頭から、破砕薬装填孔に、破砕薬とセメントタンパーとを交互に、破砕薬が一定の間隔となるように、地中杭の長さ方向に沿って多段に挿入する工程と、多段に挿入された破砕薬を、杭頭から地中杭の底部に向けて順次に、０．０２５秒〜０．５秒の範囲の一定時間毎に、着火して破砕する工程と、を有することを特徴とする。
【００２４】
これにより、鉄筋コンクリート製の地中杭のコンクリート部分は、他の運搬可能なガレキ程度の大きさにまでほぼ完全に破砕することができる。従って、鉄筋部分のみを工事用カッター等で切断することにより、ショベルカー等を用いて周囲の土砂とともに除去し撤収することが可能となる。
【００２５】
また、杭頭から順次に破砕薬を着火していくので、杭頭から順次にコンクリートの破断面が形成されていくこととなる。破砕薬と破砕薬との間にはセメントタンパーで封印されて隔離されており、下段の破砕薬の破砕効果が阻害されることを回避できる。破砕薬による破砕は、水蒸気爆発等による瞬間的なガスの膨張現象を利用するものであるから、密閉空間における着火が好ましいものであり、ガスの逃げ道が予め形成されてる場合には、破砕効果が著しく低減されるものとなる。
【００２６】
この点、多段に形成された複数の破砕薬を全て一度に同時着火すれば、破砕効果は極めて高いことが期待される。すなわち多段に配置された各破砕薬が、各セメントタンパーにより破砕薬装填孔内にそれぞれ密閉されている状態で同時着火されれば、先行でガスが逃げる部位が形成されることがないからである。しかし、全ての破砕薬を同時着火すれば、一段当たりの破砕薬量を仮に約１ｋｇとした場合に、全１０段では約１０ｋｇの破砕薬が同時に着火されるものとなる。また、多段ではなく一段で破砕薬を装填する場合には、そもそもセメントタンパーを充填する必要はないが、この場合でも当該一段に装填された１０ｋｇの破砕薬が一度に発破されることとなる。
【００２７】
全１０ｋｇの破砕薬が同時に着火され破砕実行された場合には、その周辺に位置するビル等には大凡震度２に相当する程度の振動が発生し、その騒音も相当な程度に大きなものとなる。震度２程度の振動が発生すれば、当該近隣ビルのエレベータは停止し、入居者の業務等にも著しい支障を招来するものとなる。また、各種の法律規制の観点からもこれに抵触する懸念が大きくなる。このため、多段構成の全ての破砕薬の同時破砕は現実には極めて困難である。
【００２８】
この点、本願発明のように、杭頭から０．０２５秒〜０．５秒（最も好ましくは０．２５秒）の範囲の所定の一定時間毎に、順次に一段ずつ着火していけば、振動と騒音の発生は時間的に分散されて、比較的小さなものとできる。１０ｍ範囲内で７５ｄＢの関係法令の規定範囲にも収まるものである。発明者らの検討によれば、地中杭の破砕に起因する振動のピーク値からゼロになるのに要する時間は約０．５秒程度であり、０．５秒以内程度、最も好ましくは０．２５秒で順次に着火しても、各種の規制要件を充分にクリアできる振動範囲内に収まるものとなる。
【００２９】
さらに、破砕効果の低減も杭頭からの順次着火で最小限に抑えることができる。破砕薬と破砕薬との間隔は、直近の上段の破砕薬が破砕した場合でも、コンクリートの亀裂がその直下の破砕薬に到達しない程度とすることがさらに好ましい。破砕薬同士の間隔があまりに小さければ、直近の上段の破砕薬が破砕した場合にコンクリートの亀裂が直下に到達し、それがガスの逃げ道となるので直下の破砕薬の破砕効果が低減される懸念が生じる。
【００３０】
着火には、時限式の着火装置であるＩＣイグナイタを用いてもよい。ＩＣイグナイタでは、内装コンデンサにより着火信号を受信してから現実に着火させるまでの遅延時間を任意に選択可能であるため、多段に装填された各破砕薬に同時に着火信号を伝送した場合でも、上段から下段に順次時間差を設けて発破させることが可能である。
【００３１】
図１は、実施形態の地中杭破砕方法の一態様について（ａ）〜（ｇ）の順に説明する図である。図１において、（ａ）が飛散防止養生をしたロックドリルで破砕薬装填孔を杭頭に穿孔する様子を説明する図であり、（ｂ）が杭頭から穿孔された破砕薬装填孔を説明する図であり、（ｃ）が破砕薬（ガンサイザー）を破砕薬装填孔に装填する様子を説明する図であり、（ｄ）がセメントタンパーを破砕薬装填孔に装填する様子を説明する図であり、（ｅ）が７号砕石を破砕薬装填孔に装填する様子を説明する図であり、（ｆ）が多段に破砕薬の装填が完了した杭頭に鉄砲現象回避の養生をする状態を説明する図であり、（ｇ）が破砕が完了した地中杭に対して周囲の土砂等と共に地中杭をショベルカーで撤去する状態を説明する図である。図１（ｂ）乃至図１（ｄ）の工程は、装填する破砕薬の段数に応じて複数回繰り返すことができる。また、工程（ｅ）は適宜省略してもよいし、装填する砕石の大きさを変更しても良い。
【００３２】
また、実施形態の地中杭破砕方法は、好ましくは多段に挿入された破砕薬の間隔が、上段の破砕薬による破砕に起因して、下段の破砕薬による破砕の効果が阻害されない程度に設けられることを特徴とする。
【００３３】
ここで、多段に挿入された破砕薬の間隔が、上段の破砕薬による破砕に起因して、下段の破砕薬による破砕の効果が阻害されない程度とは、典型的には、上段の破砕により生じた地中杭の亀裂が、その直下の破砕薬に到達しない程度であることを意味する。
【００３４】
仮に、破砕薬同士の間隔が充分に設けられていないか、または、その間に充填されるセメントタンパーの充填が不十分であった場合には、直近上段の破砕薬の破砕により生じた地中杭の亀裂が直下の破砕薬に到達する。この場合には、当該亀裂がガスの逃げ道となるので、当該直下の破砕薬の破砕効果が低減されてしまうものとなる。この場合には、再度、別途の穿孔作業により現在の破砕薬装填孔とは異なる追加の破砕薬装填孔を空けて破砕薬を装填・着火する等の作業が必要となってしまう懸念も生じ、工程の遅延が生じる。
【００３５】
換言すれば、地中杭の杭頭（典型的にはその中心部）から長さ方向（深さ方向）に沿って、多段に配置された各破砕薬は、破砕効果のみの観点からは全て同時に着火されて一度に破砕することが好ましく、これが発破業界における従来の常識であった。しかし、都心の工事現場等における周辺環境への配慮や、年々厳しくなる関係規制の観点からは、都心の限られた現場（例えば、周囲にオフィスビルが林立する中でのスクラップアンドビルドに関係する当該ビル一棟分の敷地）における同時着火による地中杭の一発破砕は現実的ではない。
【００３６】
本実施形態では、杭頭から順次に着火していくことで発生する振動や騒音を時間的に若干ずらしてこれを低減することに成功した。また、工事進捗の効率や破砕スループットを高める観点からは、あまりに時間間隔を空けすぎることは好ましくなく、一方で時間間隔を小さくし過ぎると振動等が大きくなる。従って、本発明では、破砕時の振動低減の研究・検討から、時間間隔を０．０２５秒〜０．５秒（最も好ましくは０．２５秒）として、この時間だけずらして順次に着火するものである。
【００３７】
また、仮に、着火順序を本発明と真逆にして地中杭の底部から順次に遂行した場合には、下段の破砕薬によるコンクリート破砕が上方向へと進行し易くなることから、下段の破砕によりその直近上段の破砕薬の破砕ガスの逃げ道ができる可能性が大きくなり、破砕効果が低減されることが懸念される。これは、杭頭が大気中に露出されている一方、杭底は硬い支持地盤内に打ち込まれている地中杭の配置環境を慎重に検討すれば、理解できるものである。
【００３８】
図２は、杭頭の直径１６００ｍｍφで長さ９１５０ｍｍの地中杭に対する１０段の破砕薬による破砕設計を説明する概要図である。図２に示す例では、破砕薬の長さは３５０ｍｍでありそれぞれ４５０ｍｍの間隔を空けて、７５ｍｍφの破砕薬装填孔に対して１０段に装填される。各段の装填薬量は０．５ｋｇである。そして、２５ミリ秒間隔で上段から下段方向に、すなわち図２のＭＳ１からＭＳ１０までこの順に２５ミリ秒間隔で順次発破する。
【００３９】
また、図３は、杭頭の直径１５００ｍｍφで長さ１４０３０ｍｍの地中杭に対する１３段の破砕薬による破砕設計を説明する概要図である。図３に示す例では、破砕薬の間隔をそれぞれ５５０ｍｍの間隔を空けて、７５ｍｍφの破砕薬装填孔に対して１３段に装填される。各段の装填薬量は１．０ｋｇである。そして、２５ミリ秒間隔で、最も好ましくは上段から下段方向に順に０．２５秒間隔で順次発破する。
【００４０】
また、図４は、杭頭の直径１５００ｍｍφで長さ１４０００ｍｍの地中杭に対する７段の破砕薬による破砕設計の比較検討を説明する概要図であり、紙面左側が「段発考慮なし」すなわち７段同時発破についての設計図であり、紙面右側が「段発考慮あり」すなわち上段から下段に向けて一段ずつ０．２５秒ずつ遅延させて順次に発破する設計図である。図４に示す例では、破砕薬の間隔をそれぞれ１０００ｍｍの間隔を空けて、６５ｍｍφ若しくは７５ｍｍφの破砕薬装填孔に対してそれぞれ７段に装填される。各段の装填薬量は１．０ｋｇである。そして、２５ミリ秒間隔で、最も好ましくは上段から下段方向に順に０．２５秒間隔で順次発破する。
【００４１】
また、実施形態の地中杭破砕方法は、さらに好ましくは破砕薬を多段に挿入する工程と着火して破砕する工程との間に、杭頭に、ゴムシートと鉄板とガラ袋とを載置する工程をさらに有することを特徴とする。
【００４２】
ここで、ガラ袋とは中身が充填された巨大な土嚢ともいえる袋であり、重しの機能を有するものである。杭頭に、好ましくは順にゴムシートと鉄板とガラ袋とを載置した状態で、着火して破砕することにより、杭頭及びその周囲の土壌等から着火及び破砕に伴い発生する粉塵等の飛散・拡散（すなわち、鉄砲現象）を低減できるとともに、騒音の拡散をも確実に低減することができる。また、鉄筋コンクリート製地中杭の破砕片や小石等が、水蒸気圧力により飛散することも防止できるので、周囲環境や作業者等に対し、より高い安全性が確保できるものとなる。ゴムシートは、例えば８ｍｍ厚の黒色のものを使用できる。また、鉄板は、例えば２２ｍｍ厚の１．５ｍ×１．５ｍで重量５００ｋｇのものを使用できる。 
【００４３】
下記数１乃至数３は、鉄砲現象を回避するためにどのように杭頭の養生をするべきか検討されたプロセス及びその結果について説明するものである。数１が、「ガンサイザーによるコンクリート杭破砕における鉄砲現象への防護対策について」の検討結果を説明するものであり、数２が「重さ２ｔの防護材の運動について」の検討結果を説明するものであり、数３が「鉄砲現象が発生した場合の防護材の運動について」の検討結果を説明するものである。
【００４４】
【数１】
2020063660.tif 000003
【００４５】
【数２】
2020063660.tif 000004
【００４６】
【数３】
2020063660.tif 000005
【００４７】
また、実施形態の地中杭破砕方法は、さらに好ましくは杭頭から破砕薬装填孔を穿孔する工程が、穿孔時に杭頭から地中杭の長さ方向に作業空間へと延伸されるアーム部が防音養生されたロックドリルで遂行されることを特徴とする。
【００４８】
ロックドリルは、従来、横方向のトンネルを深く採掘する場合等に用いられることが多かった。しかし、数十ｍｍ〜１００ｍｍ超程度の直径の破砕薬装填孔を、鉄筋コンクリート製の地中杭に深く大深度で穿孔する場合にも用いることができることが、本発明者らにより明らかにされた。穿孔作業は、少なからず騒音が発生するとともに、場合によっては小さな破砕片を含む粉塵等も発生する。
【００４９】
このため、穿孔作業中に杭頭から上方に突出して配置されるロックドリルのアーム部を、好ましくはその最上部から杭頭の高さ（または露出地面の高さ）までに亘り、典型的には垂直に配置されたアーム部の高さ方向全てに亘り最下部が地面に当接するように、防音養生することが好ましい。防音養生には、ロックドリルの操作者から、アーム内部の任意所定箇所が視認により確認できるように、養生の欠落部を形成して視認窓を設けることがさらに好ましい。破砕薬装填孔は、杭頭から杭底に至るまで、例えば１００００ｍｍ程度に亘って穿孔することもできる。
【００５０】
図６は、防音及び飛散防止の養生を垂直アーム部に装着したロックドリルの典型例を説明する図であり、（ａ）が外側周囲が全て養生されている状態を説明する図であり、（ｂ）がオペレータ側に養生が欠落された視認窓を設けている状態を説明する図である。また、図７は、ロックドリルのアーム部の養生の他の例を説明する図である。
【００５１】
また、実施形態の地中杭破砕方法は、さらに好ましくは破砕薬が、薬剤の熱分解時に発生する水蒸気圧を利用して地中杭を破砕する蒸気圧破砕薬であることを特徴とする。
【００５２】
これにより、いわゆる火薬類取り締まり関係法令に抵触する懸念もなく、政令指定都市を含む都心部から郊外、はては山間部に至るまで比較的広い現場で実用に耐えられるものとできる。また、水蒸気圧による動的な破砕であるので、短い時間で比較的安全かつ瞬時に、破砕作業が遂行できるものとなる。
【００５３】
また、実施形態の地中杭破砕方法は、さらに好ましくは多段に挿入された破砕薬を着火して破砕する工程が、杭頭から地中杭の底部に向けて各破砕薬が順次に０．２５秒毎で着火されることを特徴とする。
【００５４】
破砕により発生する振動は、そのピークから０．５秒程度でゼロにまで低減されることが本発明者らの研究により明らかになった。このため、最も好ましくは、騒音のピークから半減するまでの時間に相当する０．２５秒間隔で、次の下段の破砕薬に着火することがよい。
【００５５】
着火と同時に当該着火された破砕薬に起因する騒音（または騒音と振動）のピークが生じると仮定すれば、その０．２５秒後には、当該騒音は半減していることとなるので、次の下段の破砕薬の騒音が続いて発生しても、騒音の重畳による過剰に大きな騒音とはならない。これにより、都心における周囲環境への種々の規制に対しても充分にこれを充足できるものとなる。
【００５６】
実施形態の地中杭破砕方法は、さらに好ましくは破砕薬が、酸化剤としての酸化銅と還元剤としてのアルミニウムとの金属粉のテルミット反応による発熱を利用し、結晶水としてカリウムミョウバンを蒸発させた水蒸気圧力を発生させるものであり、一段分の薬剤重量が０．５ｋｇ〜１ｋｇであることを特徴とする。
【００５７】
酸化剤としての酸化銅と還元剤としてのアルミニウムとの金属粉のテルミット反応による発熱を利用し、結晶水としてカリウムミョウバンを蒸発させた水蒸気圧力を発生させる破砕薬は、本件発明者らが所属する事業会社からガンサイザー（登録商標）の名称で市販されている。図５は、（ａ）セメントタンパーの外観並びに（ｂ）ガンサイザーの外観及び（ｃ）着火具（イグナイタ）の外観説明及び（ｄ）それらの取り付け設置について説明する図である。
【００５８】
下記表１は、蒸気圧破砕薬剤ガンサイザーについて説明するものであり、１．ガンサイザーの製品説明として、（１）破砕薬剤、（２）着火具、（３）ＩＣ段発イグナイタの順に説明をしている。ＩＣ段発イグナイタは、各段に装填された破砕薬を所定の時間だけ遅延させてずらせて発破させることができる着火具である。
【００５９】
【表１】
2020063660.tif 000006
【００６０】
薬剤重量や大きさ等に応じて種々の型番のガンサイザー（登録商標）がラインアップされているが、地中杭１１００ｍｍφ乃至１８００ｍｍφ程度であれば、一段あたり０．５ｋｇ乃至１ｋｇの薬剤重量のガンサイザー（登録商標）を用いることができる。すなわち５５−５０型のガンサイザー（登録商標）を、例えば９１５０ｍｍの長さで１６００ｍｍφの地中杭の杭頭中央から、８００ｍｍピッチで１０段装填することができる。 
【００６１】
５５−５０型のガンサイザー（登録商標）の長さは３５０ｍｍであるので、ガンサイザー（登録商標）の間隔は４５０ｍｍ離間していることとなる。すなわち、ガンサイザー（登録商標）同士の間隔である４５０ｍｍの長さの破砕薬装填孔は、それぞれセメントタンパーと好ましくは７号砕石とで充填されることができる。そして、上段側から好ましくは０．２５秒ずつずらして順次着火していくことで、振動や騒音を低減しつつ良好な破砕作業を遂行することが可能となる。表２は、ガンサイザーのバリエーションを説明するものである。（日本工機株式会社製品ホームページより抜粋）
【００６２】
【表２】
2020063660.tif 000007
【００６３】
実施形態の地中杭破砕方法は、さらに好ましくは多段に挿入された破砕薬の間隔が、４５０ｍｍ〜５００ｍｍであることを特徴とする。
【００６４】
破砕薬の間隔を４５０ｍｍ〜５００ｍｍ程度に設けることで、上段の破砕により生じた亀裂等が直下の破砕薬に到達することなく、格段の破砕薬が有効に機能してスムースかつ効率的な破砕作業を遂行できるものとなる。換言すれば、４５０ｍｍ〜５００ｍｍ程度の間隔にセメントタンパー等を充填することで、下段の破砕薬等をその直近上段の破砕薬の破砕から保護できる。一段分の破砕薬は、当該段の破砕薬より上部を破砕することが期待されているものである。また、多くの地中杭に対してこの間隔を適用可能であり、コストの低減とスムースな破砕作業とを両立できるものとなる。
【００６５】
ここで、０．０２５秒（２５ミリ秒）間隔で、上段から下段へと順次連続的に発破しても振動や騒音が低減される理由についてさらに詳細に説明する。図８は、試験破砕における振動測定値（離隔距離１０ｍ）について説明する図である。図８（ａ）が試験破砕１回目（１０ｍ）５５−１００型（２５ミリ秒×８セット（すなわち８段））の経過時間に対する変位速度を説明する図であり、図８（ｂ）が試験破砕２回目（１０ｍ）５５−２００型（２５ミリ秒×５セット（すなわち５段））の経過時間に対する変位速度を説明する図であり、図８（ｃ）が試験破砕３回目（１０ｍ）５５−１００型（２５０ミリ秒×８セット（すなわち８段））の経過時間に対する変位速度を説明する図である。 
【００６６】
また、図９は、図８に説明した（ａ）〜（ｃ）の各試験破砕に対応する試験番号（１）〜（３）のガンサイザーパターンと、その準備作業について説明する図である。また、図１０は、ガンサイザーＩＣ段発イグナイタの取り付けと脚線延長の方法について説明する図である。
【００６７】
図８に示す各段発の時間間隔を０．０２５秒とした場合の発破実験結果から明らかなように、充分な振動や騒音の低減が期待できるものとなっている。振動・騒音の低減には一段分の振動等の自然低減を待って、次段を発破する方法（すなわち、０．２５秒〜０．５秒ごとの順次発破）が、理論的には最も理解し易い。しかし、現実には、０．０２５秒ごとの発破（最少段発）でも図８の通りの結果がでているものであり、ピークが同じだと単純に振動力や騒音力が発破薬量に比例するのですが、ピークを少しでも（例えば０．０２５秒）ずらすと、図８のとおり一段発破の１．５倍前後の振動でおさまるものとなる。この原因については現時点では詳細不明であるが、逆位相の振動で打ち消し合っているのではないかと本件発明者らは推測している。
【００６８】
上述で説明した地中杭破砕方法は、実施例における具体的な数値等を例示した説明に限定されるものではなく、地中に本体部が深く埋設されていながらその一部が露出されている地中構造物の破砕作業や破壊作業に幅広く適用可能であり、当業者に自明かつ本発明の範囲内で、材料や工程内容やその順序・手順を適宜変更しアレンジすることが可能である。
【産業上の利用可能性】
【００６９】
本発明は、地中に埋め込まれた地中構造物の破砕等に好適である。 
【図１】
2020063660.tif 000008
【図２】
2020063660.tif 000009
【図３】
2020063660.tif 000010
【図４】
2020063660.tif 000011
【図５】
2020063660.tif 000012
【図６】
2020063660.tif 000013
【図７】
2020063660.tif 000014
【図８】
2020063660.tif 000015
【図９】
2020063660.tif 000016
【図１０】
2020063660.tif 000017
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
杭頭が露出された状態の地中杭に、前記地中杭の長さ方向に沿って前記杭頭から破砕薬装填孔を穿孔する工程と、
前記破砕薬装填孔に、破砕薬と充填物とを交互に、
前記破砕薬が、杭頭側の破砕薬の破砕に起因する亀裂が、その直近の底部側の破砕薬装填孔に到達しないが前記地中杭の外周部に到達する程度、の一定の間隔、となるように、
前記地中杭の長さ方向に沿って複数段に挿入する工程と、
複数段に挿入された前記破砕薬を、前記杭頭から前記地中杭の底部に向けて、順次に、着火して破砕する工程と、を有し、
前記地中杭を特定方向に切断するのでは無く、ショベルカーを用いて周囲の土砂とともに除去し撤去することが可能な程度に、地中で粉砕する
ことを特徴とする地中杭破砕方法。
【請求項２】
請求項１に記載の地中杭破砕方法において、
前記複数段に挿入された破砕薬の間隔は、前記杭頭側の破砕薬による破砕に起因して、その底部側の破砕薬による破砕の効果が阻害されない程度に設けられる
ことを特徴とする地中杭破砕方法。
【請求項３】
請求項１または請求項２に記載の地中杭破砕方法において、
前記破砕薬を複数段に挿入する工程と前記着火して破砕する工程との間に、
前記杭頭に、ゴムシートと鉄板とガラ袋とを載置する工程をさらに有する
ことを特徴とする地中杭破砕方法。
【請求項４】
請求項１乃至請求項３のいずれか一項に記載の地中杭破砕方法において、
前記杭頭から破砕薬装填孔を穿孔する工程は、
穿孔時に前記杭頭から前記地中杭の長さ方向に作業空間へと延伸されるアーム部が防音養生されたロックドリルで遂行される
ことを特徴とする地中杭破砕方法。
【請求項５】
請求項１乃至請求項４のいずれか一項に記載の地中杭破砕方法において、
前記破砕薬は、薬剤の熱分解時に発生する水蒸気圧を利用して前記地中杭を破砕する蒸気圧破砕薬である
ことを特徴とする地中杭破砕方法。
【請求項６】
請求項１乃至請求項５のいずれか一項に記載の地中杭破砕方法において、
前記複数段に挿入された破砕薬を着火して破砕する工程は、前記杭頭から前記地中杭の底部に向けて各破砕薬が順次に０．０２５秒〜０．５秒の時間範囲で着火される
ことを特徴とする地中杭破砕方法。
【請求項７】
請求項１乃至請求項６のいずれか一項に記載の地中杭破砕方法において、
前記破砕薬は、酸化剤としての酸化銅と還元剤としてのアルミニウムとの金属粉のテルミット反応による発熱を利用し、結晶水としてカリウムミョウバンを蒸発させた水蒸気圧力を発生させるものであり、一段分の薬剤重量が０．５ｋｇ〜１ｋｇである
ことを特徴とする地中杭破砕方法。
【請求項８】
請求項７に記載の地中杭破砕方法において、
前記複数段に挿入された破砕薬の間隔は、４５０ｍｍ〜５００ｍｍである
ことを特徴とする地中杭破砕方法。
【請求項９】
請求項１乃至請求項８のいずれか一項に記載の地中杭破砕方法において、
前記充填物はセメントタンパーを含む
ことを特徴とする地中杭破砕方法。
【請求項１０】
請求項９に記載の地中杭破砕方法において、
前記充填物は砕石をさらに含む
ことを特徴とする地中杭破砕方法。
【請求項１１】
請求項１乃至請求項１０のいずれか一項に記載の地中杭破砕方法において、
隣接する前記破砕薬の発破に起因する振動の少なくとも一部または全部が逆位相で互いに打ち消し合う関係にある
ことを特徴とする地中杭破砕方法。